(57)【特許請求の範囲】
【請求項１】
カメラのアスペクト比に応じた長い花弁状部分および短い花弁状部分を交互に有するレンズ鏡筒のフードに装着するレンズキャップであって、
上記短い花弁状部分に係合する係合爪と、
上記長い花弁状部分の先端が当該レンズキャップの底壁の内面に当接するように当該レンズキャップの装着をガイドするガイド部と、
を有するレンズキャップ。
【請求項２】
上記ガイド部は、当該レンズキャップの周壁の内面に凸設した複数本のリブを有し、上記フードの隣接する上記長い花弁状部分と上記短い花弁状部分をつなぐ傾斜縁部に上記複数本のリブの端部を当接させて当該レンズキャップの装着をガイドする、
請求項１のレンズキャップ。
【請求項３】
上記周壁の内面の上記長い花弁状部分に対向する位置にキズ防止部材を備えている、
請求項２のレンズキャップ。
【請求項４】
上記係合爪を収容して上記底壁の内面に突設した爪収容部をさらに有し、
上記爪収容部が、上記レンズ鏡筒の上記フードに最も近いレンズを逃がす凹面を有する、
請求項１のレンズキャップ。
【請求項５】
当該レンズキャップの外面に露出して設けた上記係合爪を動作させるためのプッシュボタンをさらに有し、
上記プッシュボタンは、当該レンズキャップを上記フードに装着した状態で、上記短い花弁状部分に対向する、
請求項１のレンズキャップ。
【発明の詳細な説明】
【技術分野】
【０００１】
本発明は、カメラのレンズ鏡筒に装着するレンズキャップに関する。
【背景技術】
【０００２】
カメラのレンズ鏡筒として、入射光を制限する花弁形状のフードを備えたものが知られている。このフードは、カメラのアスペクト比に応じた長さの異なる２種類の花弁を交互に有する。この種のレンズ鏡筒にレンズキャップを取り付ける場合、一般に、長い方の花弁にキャップの爪を係合させる。
【先行技術文献】
【特許文献】
【０００３】
【特許文献１】特開２００９−１７５３４８号公報
【発明の概要】
【発明が解決しようとする課題】
【０００４】
このため、レンズキャップを装着した状態のレンズ鏡筒の光軸方向の長さが長くなり、レンズ鏡筒をコンパクトに収納できない問題があった。
【０００５】
本発明は、上記の点に鑑みてなされたもので、レンズ鏡筒の光軸方向の長さを短くできるレンズキャップを提供することを目的とする。
【課題を解決するための手段】
【０００６】
本発明のレンズキャップの一態様は、カメラのアスペクト比に応じた長い花弁状部分および短い花弁状部分を交互に有するレンズ鏡筒のフードに装着するレンズキャップであって、上記短い花弁状部分に係合する係合爪と、上記長い花弁状部分の先端が当該レンズキャップの底壁の内面に当接するように当該レンズキャップの装着をガイドするガイド部と、を有する。
【発明の効果】
【０００７】
本発明によれば、レンズ鏡筒の光軸方向の長さを短くできるレンズキャップを提供できる。
【図面の簡単な説明】
【０００８】
【図１】図１は、実施形態に係るレンズキャップをレンズ鏡筒と分離した状態を示す外観斜視図である。
【図２】図２は、図１のレンズキャップをフード側から見た斜視図である。
【図３】図３は、図１のレンズキャップをフードに装着した状態を示す部分断面図である。
【図４】図４は、図１のレンズキャップを装着した状態のレンズ鏡筒を光軸を通る面で切断した断面図である。
【図５】図５は、フードの長い花弁状部分にレンズキャップの爪を係合せしめた場合の比較例を示すレンズ鏡筒の断面図である。
【発明を実施するための形態】
【０００９】
以下、本発明の実施形態について図面を参照して説明する。  
図１は、本発明の実施形態に係るレンズキャップ１０をレンズ鏡筒１００と分離した状態を示す外観斜視図である。
【００１０】
レンズ鏡筒１００は、必要以上に強い光が入射するのを防ぐため花形のフード１１０を備えている。フード１１０は、レンズ鏡筒１００の図示しない被写体側の先端に取り付けられる。フード１１０は、カメラのアスペクト比に応じて長さを異ならせた２種類の花弁状部分１１２、１１４を有する略円環状の部材である。撮影する画像が矩形であるため、花弁状部分１１２、１１４は、画像領域の４辺に対応して全部で４枚設けられている。
【００１１】
互いに対向した比較的長い方の２枚の花弁状部分１１２は、レンズ鏡筒１００を図示しないカメラに取り付けた状態で、撮影する画像の長辺に対応する位置（縦方向に並ぶ位置）に配置される。一方、互いに対向した比較的短い方の２枚の花弁状部分１１４は、レンズ鏡筒１００をカメラに取り付けた状態で、撮影する画像の短辺に対応する位置（横方向に並ぶ位置）に配置される。つまり、長い花弁状部分１１２と短い花弁状部分１１４は、フード１１０の周方向に沿って９０°ずつ位相を異ならせて交互にレイアウトされている。なお、長い花弁状部分１１２の突出方向の先端縁１１２ａは、レンズキャップ１０の底壁１２の平らな内面１２ａ（図２）に線で当接するように平らにされている。
【００１２】
図２は、レンズキャップ１０を裏側から見た斜視図であり、図３は、レンズキャップ１０をフード１１０に取り付けた状態の部分断面図である。図３ではフード１１０を点線で示してある。レンズキャップ１０は、略円板状の底壁１２、および底壁１２の周縁部から一体に立設された略円筒形の周壁１４を有する。このレンズキャップ１０は、周壁１４の内側にフード１１０の４枚の花弁状部分１１２、１１４を挿入するように、フード１１０に被せられる。レンズキャップ１０をフード１１０に被せると、長い花弁状部分１１２の先端縁１１２ａがレンズキャップ１０の底壁１２の内面１２ａに当接する。
【００１３】
レンズキャップ１０の周壁１４の内面１４ａには、２枚のシート状のキズ防止部材１１が貼り付けられている。各キズ防止部材１１は、レンズキャップ１０をフード１１０に装着する際に、長い花弁状部分１１２が摺接する位置に貼設されている。言い換えると、２枚のキズ防止部材１１は、レンズキャップ１０をフード１１０に装着した状態で、長い花弁状部分１１２に対向する位置に設けられている。キズ防止部材１１は、レンズキャップ１０の周壁１４の内面１４ａが長い花弁状部分１１２の摺接によって傷付くことを防止するとともに、長い花弁状部分１１２の外面がレンズキャップ１０の摺接によって傷付くことを防止するよう機能する。
【００１４】
また、レンズキャップ１０の周壁１４の内面１４ａには、当該レンズキャップ１０のフード１１０への装着をガイドする複数本のリブ１３（ガイド部）が一体に凸設されている。複数本のリブ１３は、それぞれ、周壁１４の軸方向に延びている。このため、レンズキャップ１０を射出成形により形成できる。複数本のリブ１３の底壁１２から離間した先端１３ａは、フード１１０の互いに隣接する長い花弁状部分１１２と短い花弁状部分１１４をつなぐ傾斜縁部１１３（図１）に当接し、長い花弁状部分１１２の先端縁１１２ａがレンズキャップ１０の底壁１２の内面１２ａに当接するように、レンズキャップ１０の装着をガイドする。すなわち、複数本のリブ１３は、４枚の花弁状部分１１２、１１４の間にある４つの傾斜縁部１１３に対応して、周壁１４の内面１４ａに沿って４か所に数本ずつ並べて設けられている。
【００１５】
また、レンズキャップ１０の底壁１２の内面１２ａには、２つの係合爪１５をそれぞれ動作可能に収容した爪収容部１６が突設されている。２つの係合爪１５は、それぞれ、フード１１０の短い花弁状部分１１４に係合する。このため、２つの爪収容部１６は、レンズキャップ１０の底壁１２の径方向に互いに離間して、上述した２枚のキズ防止部材１１と９０°位相を異ならせて配置されている。また、２つの爪収容部１６は、底壁１２の中心に向けて内面１２ａ方向に湾曲して凹んだ凹面１６ａをそれぞれ有する。これら２つの凹面１６ａは、レンズキャップ１０をフード１１０に装着した状態で、レンズ鏡筒１００のフード１１０に最も近いレンズ１００ａ（図１）を逃がす形状に湾曲している。
【００１６】
各係合爪１５は、レンズキャップ１０の底壁１２の内面１２ａに沿って径方向に移動可能な状態で、各爪収容部１６内にそれぞれ収容配置されている。各爪収容部１６の内部には、径方向に延設された押圧バネ１７がそれぞれ配置されている。それぞれの押圧バネ１７の一端は係合爪１５のピン１５ａ（図３）に装着され、他端は爪収容部１６の壁１６ｂ（図３）に当接している。
【００１７】
また、レンズキャップ１０の周壁１４には、各係合爪１５の一部を露出するための２つの開口部１４ｂが設けられている。各開口部１４ｂから外部へ露出した係合爪１５の部分は、係合爪１５を動作させるためのプッシュボタン１８（図１）として機能する。プッシュボタン１８は、操作性を高めるため、光軸方向の幅をある程度確保する必要がある。
【００１８】
しかして、レンズキャップ１０の外側から２つのプッシュボタン１８を互いに近付く方向に押し込むと、押圧バネ１７が圧縮されて係合爪１５がレンズキャップ１０の中心方向へ移動される。係合爪１５は、フード１１０の短い花弁状部分１１４の先端縁に沿って内側に突出した係合縁１１６（図１）に係合するため、プッシュボタン１８を押し込むことで係合が解除される。
【００１９】
逆に、レンズキャップ１０をフード１１０に装着する場合、レンズキャップ１０をフード１１０に被せた状態で押し込むだけでよい。つまり、このとき、２つの係合爪１５が、押圧バネ１７の押圧力に抗してレンズキャップ１０の中心方向へ僅かに移動し、フード１１０の係合縁１１６を乗り越えて係合する。また、このとき、レンズキャップ１０の周壁１４の内面１４ａに設けた複数本のリブ１３の先端１３ａがフード１１０の傾斜縁部１１３に当接し、長い花弁状部分１１２の先端縁１１２ａがレンズキャップ１０の底壁１２の内面１２ａに当接するようにガイドする。
【００２０】
以上のように、本実施形態によれば、レンズキャップ１０の２つの係合爪１５をフード１１０の短い花弁状部分１１４の係合縁１１６に係合させてレンズキャップ１０を装着するようにしたため、図４に示すように、レンズキャップ１０の底壁１２の内面１２ａをレンズ鏡筒１００の最も被写体に近いレンズ１００ａに近付けることができ、レンズキャップ１０を装着した状態のレンズ鏡筒１００の光軸方向の長さを最小にできる。
【００２１】
これに対し、仮に、フード１１０の長い花弁状部分１１２の先端にある係合縁にレンズキャップ１０の２つの係合爪１５を係合させた場合、図５に比較例として示したように、レンズキャップ１０の底壁１２の内面１２ａとレンズ１００ａとの間の距離が離れてしまう。つまり、図５に示すようにレンズキャップ１０の係合爪１５を長い花弁状部分１１２の係合縁に係合させた場合、図４に示すようにレンズキャップ１０の係合爪１５を短い花弁状部分１１４の係合縁１１６に係合させた場合と比較して、レンズキャップ１０を装着した状態のレンズ鏡筒１００の光軸方向の長さが長くなってしまう。
【００２２】
図５に示す比較例においてレンズ鏡筒１００の光軸方向の長さを短くするため、プッシュボタン１８の光軸方向の幅を短くする方法が考えられるが、プッシュボタン１８の幅を短くすると、その分、操作性が損なわれてしまう。本実施形態のレンズキャップ１０は、プッシュボタン１８の操作性（大きさ）を確保した上でレンズ鏡筒１００の光軸方向の長さを短くできている。
【００２３】
また、本実施形態によると、フード１１０の傾斜縁部１１３を案内するガイド部を複数本のリブ１３により構成したため、レンズキャップ１０を肉薄にでき、機械強度を保った上で軽量化ができる。このため、レンズキャップ１０を何回も着脱しても変形したり割れたりする心配がなく、信頼性の高いレンズキャップを提供できる。
【００２４】
また、フード１１０の傾斜縁部１１３に沿ってリブ１３の長さを徐々に異ならせているため、レンズキャップ１０を装着する際に、長い花弁状部分１１２の先端がレンズキャップ１０の底壁１２の内面１２ａに接触するまで装着をガイドでき、ユーザーがレンズキャップ１０の装着姿勢（回転方向の位置）を気にすることなく容易に装着できる。
【００２５】
さらに、フード１１０の長い花弁状部分１１２の先端縁１１２ａが平らにされているため、レンズキャップ１０を装着した状態で、長い花弁状部分１１２の先端縁１１２ａがレンズキャップ１０の底壁１２の内面１２ａに安定して接触し、レンズキャップ１０がぐらつくことがない。また、このとき、短い花弁状部分１１４の係合縁１１６がレンズキャップ１０の係合爪１５によって係合されるため、レンズキャップ１０のがたつきを確実に防止できる。
【００２６】
また、本実施形態によると、レンズキャップ１０をフード１１０に装着した状態で、カメラを台の上に置いた場合、レンズキャップ１０が不用意に外れてしまう不具合を防止することができる。つまり、カメラに取り付けたレンズ鏡筒１００のフード１１０は、長い花弁状部分１１２が縦方向に並び、短い花弁状部分１１４が横方向に並ぶ。このため、仮に、図５のように長い花弁状部分１１２に係合爪１５を設けると、プッシュボタン１８が台に接触して係合爪１５の係合が解除されしまう場合がある。これに対し、本実施形態では、短い花弁状部分１１４に係合爪１５をレイアウトしたため、レンズ鏡筒１００が前方に倒れてレンズキャップ１０が台に接触しても、プッシュボタン１８が不用意に押されることがなく、レンズキャップ１０が外れる心配も無い。
【００２７】
以上、実施形態に基づいて本発明を説明したが、本発明は、上述した実施形態に限定されるものではなく、本発明の要旨の範囲内で種々の変形や応用が可能なことは勿論である。
【符号の説明】
【００２８】
１０…レンズキャップ、  １１…キズ防止部材、  １２…底壁、  １２ａ…内面、  １３…リブ、  １３ａ…先端、  １４…周壁、  １４ａ…内面、  １４ｂ…開口部、  １５…係合爪、  １５ａ…ピン、  １６…爪収容部、  １６ａ…凹面、  １６ｂ…壁、  １７…押圧バネ、  １８…プッシュボタン、  １００…レンズ鏡筒、  １００ａ…レンズ、  １１０…フード、  １１２…長い花弁状部分、  １１３…傾斜縁部、  １１４…短い花弁状部分、  １１６…係合縁。
【図１】
0006379024.tif 000002
【図２】
0006379024.tif 000003
【図３】
0006379024.tif 000004
【図４】
0006379024.tif 000005
【図５】
0006379024.tif 000006